(57)【要約】  本発明は、カップ形状箱２とカップ形状箱に接続された蓋３とを含み、更に、箱側壁５、６と隣接する箱前壁７とを含む容器１に関する。取り付けタブ１３、１４は、容器１の箱側壁５、６から垂れ下がり、取り付けタブ１３、１４は、容器１の箱前壁（７）に取り付けられる。容器１は、更に、箱前壁７から垂れ下がり、かつ蓋２の取り付けタブ１３、１４の上に少なくとも部分的に重なるタブカバーパネル３０と、タブカバーパネル３３から垂れ下がる内側カバーパネル３４とを含む。内側カバーパネル３４は、容器１の壁の内側部分を覆い、内側カバーパネル３４は、蓋３の上部壁２３の内側を少なくとも部分的に覆う。本発明は、更に、容器のためのブランク、及び容器１から消費物品を少なくとも部分的に持ち上げる方法に関する。【選択図】      図２
2013513533.tif 000002
【特許請求の範囲】
【請求項１】
容器（１）であって、
カップ形状箱（２）と、
前記カップ形状箱（２）に接続された蓋（３）と、
を含み、
箱側壁（５、６）と隣接する箱前壁（７）とを更に含み、取り付けタブ（１３、１４）が、容器（１）の前記箱側壁（５、６）から垂れ下がり、該取り付けタブ（１３、１４）は、容器（１）の該箱側壁（５、６）に取り付けられ、
前記箱側壁（７）から垂れ下がるタブカバーパネル（３０）を更に含み、該タブカバーパネル（３０）は、前記箱（２）の前記取り付けタブ（１３、１４）の上に少なくとも部分的に重なり、
容器（１）が、タブカバーパネル（３３）から垂れ下がる内側カバーパネル（３４）を更に含み、
前記内側カバーパネル（３４）は、容器（１）の壁の内側部分を覆い、該内側カバーパネル（３４）は、前記蓋（３）の上部壁（２３）の内側を少なくとも部分的に覆う、
ことを特徴とする容器（１）。
【請求項２】
容器（１）が開かれる時に容器内の消費財を少なくとも部分的に持ち上げることができる持ち上げパネル（４６）を更に含むことを特徴とする請求項１に記載の容器。
【請求項３】
持ち上げ背面壁パネル（４２）、持ち上げ底部パネル（４４）、及び背面折り畳みパネル（４５）を更に含み、
前記持ち上げ背面壁パネル（４２）は、前記内側カバーパネル（３４）から垂れ下がり、前記持ち上げ底部パネル（４４）は、該持ち上げ背面壁パネル（４２）から垂れ下がり、前記背面折り畳みパネル（４５）は、該持ち上げ底部パネル（４４）から垂れ下がり、かつ前記持ち上げパネル（４６）に接続する、
ことを特徴とする請求項２に記載の容器。
【請求項４】
前記タブカバーパネル（３０）は、前記箱前壁（７）に隣接して配置され、かつ容器（１）の内側に面し、前記取り付けタブ（１３、１４）は、該タブカバーパネル（３０）によって完全に覆われることを特徴とする請求項１から請求項３のいずれか１項に記載の容器。
【請求項５】
容器（１）の背面壁（８）が、前記箱（２）と前記蓋（３）とを接続するヒンジ線（４０）を含み、該箱（２）又は該蓋（３）の前壁（７、１２）が、切り欠き（３６）及び折り畳み線（３７）によって形成されたクリックフラップ（３５）を含み、
前記クリックフラップ（３５）は、前記前壁（７、１２）から蓋（３）又は箱（２）の他方の前壁（７、１２）の閉鎖切り欠き（３８）と係合するように突出する、
ことを特徴とする請求項１から請求項４のいずれか１項に記載の容器。
【請求項６】
前記クリックフラップ（３５）は、前記タブカバーパネル（３０）のうちの１つの一部であり、前記閉鎖切り欠き（３８）は、別のタブカバーパネル（３３）に設けられることを特徴とする請求項５に記載の容器。
【請求項７】
係合切り欠き（３９）が、容器（１）を開くための係合部分を設けるために前記蓋前壁（１２）に設けられることを特徴とする請求項１から請求項６のいずれか１項に記載の容器。
【請求項８】
容器（１）が、喫煙物品を含むことを特徴とする請求項１から請求項７のいずれか１項に記載の容器。
【請求項９】
容器（１）のためのブランクであって、
箱側壁パネル（２０、２１）と、
箱前壁パネル（２２）と、
前記箱側壁パネル（２０、２１）から垂れ下がる取り付けタブ（１３、１４）と、
を含み、
前記箱前壁パネル（２０、２１）から垂れ下がり、容器内の前記取り付けタブ（１３、１４）を覆うように折り畳まれるようになったタブカバーパネル（３０）、
を更に含み、
ブランクが、タブカバーパネル（３３）から垂れ下がる内側カバーパネル（３４）を更に含む、
ことを特徴とするブランク。
【請求項１０】
持ち上げパネル（４６）、持ち上げ背面壁パネル（４２）、持ち上げ底部パネル（４４）、及び背面折り畳みパネル（４５）を更に含み、
前記持ち上げ背面壁パネル（４２）は、前記内側カバーパネル（３４）から垂れ下がり、前記持ち上げ底部パネル（４４）は、該持ち上げ背面壁パネル（４２）から垂れ下がり、前記背面折り畳みパネル（４５）は、該持ち上げ底部パネル（４４）から垂れ下がり、かつ前記持ち上げパネル（４６）に接続する、
ことを特徴とする請求項９に記載のブランク。
【請求項１１】
前記タブカバーパネル（３０）は、前記箱前壁パネル（２２）と実質的に同じ形状であることを特徴とする請求項９又は請求項１０に記載のブランク。
【請求項１２】
箱底部壁パネル（１９）と、
各々が前記箱底部壁パネル（１９）から垂れ下がる箱左側壁パネル（２０）、箱右側壁パネル（２１）、及び前記箱前壁パネル（２２）と、
蓋上部壁パネル（２３）と、
各々が前記蓋上部壁パネル（２３）から垂れ下がる蓋左側壁パネル（２４）、蓋右側壁パネル（２５）、及び蓋前壁パネル（２７）と、
ヒンジ線（４０）によって前記蓋上部壁パネル（２３）から垂れ下がり、かつ前記箱底部壁パネル（１９）から垂れ下がる箱背面壁パネル（２６）と、
を含むことを特徴とする請求項９から請求項１１のいずれか１項に記載のブランク。
【請求項１３】
タブカバーパネル（２８、２９、３０、３３）が、
前記箱左側壁パネル（２０）、
前記箱右側壁パネル（２１）、
前記箱前壁パネル（２２）、及び
前記蓋前壁パネル（２７）、
から垂れ下がり、
付加的なカバーパネル（３１、３２）が、
前記蓋左側壁パネル（２４）、及び
前記蓋右側壁パネル（２５）、
から垂れ下がる、
ことを特徴とする請求項１２に記載のブランク。
【請求項１４】
取り付けタブ（１３、１４、１５、１６、１７、１８）が、
前記箱背面壁パネル（２６）、
前記箱側壁パネル（２０、２１）、及び
前記蓋側壁パネル（２４、２５）、
の側部に設けられる、
ことを特徴とする請求項１２又は請求項１３に記載のブランク。
【請求項１５】
容器から少なくとも部分的に消費物品を持ち上げる方法であって、
請求項１に記載の容器を準備する段階、
を含み、
持ち上げパネル（４６）、持ち上げ背面壁パネル（４２）、持ち上げ底部パネル（４４）、及び背面折り畳みパネル（４５）を準備する段階であって、該持ち上げ背面壁パネル（４２）が、内側カバーパネル（３４）から垂れ下がり、該持ち上げ底部パネル（４４）が、該持ち上げ背面壁パネル（４２）から垂れ下がり、該背面折り畳みパネル（４５）が、該持ち上げ底部パネル（４４）から垂れ下がり、かつ該持ち上げパネル（４６）に接続する前記準備する段階、
を更に含み、
前記持ち上げパネル（４６）が前記背面折り畳みパネル（４５）の少なくとも部分的な回転によって持ち上げられるように容器（１）の蓋（３）を持ち上げる段階、
を更に含むことを特徴とする方法。
【発明の詳細な説明】
【技術分野】
【０００１】
本発明は、例えば、細長い喫煙物品のような消費財のための容器として特定用途を見出す容器に関する。本発明は、更に、そのような容器のための対応するブランクに関する。
【背景技術】
【０００２】
喫煙物品のための容器及びブランクは、例えば、国際特許出願ＷＯ−Ａ−２００９／０２０３８３からのような従来技術で公知である。この国際特許出願は、１つのブランクから形成される喫煙物品のための容器を開示している。ブランクは、いくつかのパネルを含む。パネルは、最初に互いに対して接着され、その後に上部蓋部分が容器の背面にあるヒンジ線の周りでピボット回転することができるように切り開かれる。容器の蓋パネル並びに箱パネルの一部は、隣接壁に接着される取り付けタブを含む。そのような容器のブランクが構成される方法により、パネルの一部がブランクの側部の主表面区域から突出するので、多くの廃棄物が作り出される。
【０００３】
類似の容器は、ＧＢ  ７１４  ４６６  Ａから公知である。この容器は、第２の蓋上部壁を形成するためにパネルの蓋の中に折り畳まれた内側蓋パネルを更に有する。パネルは、開いている容器を前面から見た時に見苦しい隙間が箱の前壁と側壁の間の縁部に見えるように容器ブランクに配置されている。
【先行技術文献】
【特許文献】
【０００４】
【特許文献１】ＷＯ−Ａ−２００９／０２０３８３
【特許文献２】ＧＢ  ７１４  ４６６  Ａ
【特許文献３】ＵＳ−Ａ−４，７１４，０８２
【特許文献４】ＵＳ−Ａ−５，６９２，５２５
【発明の概要】
【発明が解決しようとする課題】
【０００５】
しかし、従来技術の容器が開放位置にある時に、取り付けタブは可視である。従って、開放位置及び閉鎖位置の両方において高品質の外観を備えた容器を提供することが本発明の目的である。本発明の更に別の目的は、ブランク材料のより大きいシートに対するブランクの入れ子構造の改善により、そのような容器のブランクが、できるだけ少ない廃棄物しか作り出さないようになっていることである。
【課題を解決するための手段】
【０００６】
本発明により、カップ形状箱とカップ形状箱に接続された蓋とを含み、箱側壁と隣接箱前壁とを更に含む容器を提供する。取り付けタブが、容器の箱側壁から垂れ下がり、かつ容器の箱前壁に取り付けられる。更に、タブカバーパネルが、箱側壁から垂れ下がり、タブカバーパネルは、取り付けタブの上に少なくとも部分的に重なる。容器は、タブカバーパネルから垂れ下がる内側カバーパネルを更に含み、内側カバーパネルは、容器の壁の内側部分を覆い、内側カバーパネルは、蓋の上部壁の内側を少なくとも部分的に覆う。
【０００７】
ブランクの切断縁部は、一般的に印刷されず、ブランク材料の色を有する。ブランク材料が厚紙の場合、ブランクの切断縁部は、典型的には着色厚紙が使用されない限り白色又は灰色である。これは、パネルのこれらの白色又は灰色の切断縁部が、従来技術によりそれ以外に着色印刷された容器において可視である場合があることを意味する。本発明により、取り付けタブは、容器内の箱前壁と箱側壁とを接続する取り付けタブが箱側壁から垂れ下がるように有利に配置される。好ましくは、蓋の取り付けタブは、容器の蓋前壁と蓋側壁とを接続する取り付けタブが蓋側壁から垂れ下がるように配置される。これは、切断縁部が、容器の前面上で外側から全く見えないことを意味する。箱前壁の垂直切断縁部だけが、それらが容器の側部に向けて面するので、容器の前面からではなく一般的に可視である。容器の蓋及び箱の側壁の前面縁部は、切断縁部ではなく、側壁とそれぞれの取り付けタブの間に印刷された折り畳み線である。
【０００８】
好ましくは、取り付けタブは、容器内の箱後壁と箱側壁とを接続する取り付けタブが箱後壁から垂れ下がるように配置される。これは、箱背面壁がカバーパネルで覆われない場合でさえも、容器の内側で取り付けタブが全く見えないことを意味する。
【０００９】
これは、容器に美的外観をもたらす。これは、ブランクの１つの側部上だけに印刷又は被覆されたブランクから組み立てられた容器の場合に特に真である。これらの容器では、好ましくは、第２の壁に取り付けられた取り付けタブの側部は、ブランクの印刷されていない側部である。好ましくは、容器内の全てのタブカバーパネルは、ブランクが１つの側部だけに印刷された場合でさえも、それぞれの取り付けタブの上でタブカバーパネルの印刷された側部が可視であるように折り畳まれる。タブカバーパネルは、好ましくは、取り付けタブの上で折り畳まれる。
【００１０】
本発明により、第１の壁から垂れ下がる取り付けタブが、第２の壁に取り付けられるだけでなく、容器の少なくとも第２の壁が少なくとも材料の２重層を含むようにタブカバーパネルによっても覆われるので、タブカバーパネルのない容器と比較して容器の構造的強度が増大する。好ましくは、タブカバーパネルはまた、容器の第２の壁パネルにも取り付けられる。
【００１１】
用語「パネル」は、本明細書を通して容器を組み立てるのに使用されるブランクの区画を示すのに使用される。パネルは、切断線、折り目線、切り込み線、折り畳み線、又はその組合せによって全ての側部上で区切られる。
【００１２】
用語「フラップ」又は「タブ」は、ブランクの１つのパネルだけから垂れ下がるブランクの区画を示すのに使用される。「タブ」及び「フラップ」は、容器を組み立てる時にパネルを互いに対して取り付けるために又は蓋閉鎖機構のような他の特別な目的のために使用することができる。
【００１３】
用語「壁」は、本明細書を通して容器の蓋、容器の箱、又は容器それ自体の外壁を示すのに使用される。「壁」は、いくつかのパネル、フラップ、及びタブを含むことができる。
【００１４】
本発明による容器の構成要素の相対位置を説明するのに使用される用語「前面」、「背面」、「上側」、「下側」、「側部」、「上部」、「底部」、及び他の用語は、上部端部に蓋と背面にヒンジとを備えた直立した状態の容器を示す。用語「左」及び「右」は、容器を直立した状態で前面から見た時に容器の側壁に関連して使用される。直立した状態の容器が開いている時に、箱に収容された消費物品は、容器の上側端部から取り出すことができる。
【００１５】
用語「縦方向」は、底部から上部まで又はその反対の方向を意味する。用語「横断方向」は、前壁、背面壁を横切る又は側壁の１つを横切る縦方向と垂直な方向を意味する。
【００１６】
用語「内側」は、本明細書を通して、容器の壁、タブ、パネル、又は他の部分に関連して、容器が閉鎖位置にある時に容器の内部に向けて面するその壁、タブ、パネル、又は他の部分の側を示すのに使用される。同様に、用語「外側」は、本明細書を通して、容器の壁、タブ、パネル、又は他の部分に関連して、容器が閉鎖位置にある時に容器の外部に向けて面するその壁、タブ、パネル、又は他の部分の側を示すのに使用される。
【００１７】
一実施形態では、本発明による容器は、容器の開放時に容器内の消費財を少なくとも部分的に持ち上げることが可能な持ち上げパネルを更に含む。好ましくは、持ち上げパネルは、内側カバーパネルに折り畳み機構の上で接続される手段によって持ち上げられるようになっている。
【００１８】
好ましくは、本発明による容器は、持ち上げ背面壁パネル、持ち上げ底部パネル、及び背面折り畳みパネルを更に含み、持ち上げ背面壁パネルは、内側カバーパネルから垂れ下がり、持ち上げ底部パネルは、持ち上げ背面壁パネルから垂れ下がり、背面折り畳みパネルは、持ち上げ底部パネルから垂れ下がり、かつ持ち上げパネルに接続される。そのような持ち上げ特徴部により、消費財へのアクセスがより良くなる。また、容器が最初に開かれた時に魅力的な製品提供をもたらすことができる。
【００１９】
好ましくは、内側カバーパネルは、隣接して位置する蓋上部壁よりも約５から約１５パーセント短く、より好ましくは、約５から約１０パーセント短い。これは、持ち上げ背面壁パネルが箱背面壁上に緊密に位置するように容器が閉じている場合のブランク基本材料の厚みを考慮に入れている。更に、容器が開いている時に、持ち上げ背面壁パネルは、内側カバーパネルと蓋上部壁との間で欠けている長さに適合するように上方に引っ張られる。これが持ち上げ底部パネルを引き、持ち上げ底部パネルは、背面折り畳みパネルが回転するように背面折り畳みパネルを引く。背面折り畳みパネルが回転することにより、持ち上げパネルの上にある消費財が少なくとも部分的に持ち上げられるように、箱の底部壁と持ち上げパネルの間の距離が増加する。これは、消費財を上げるために非常に効率的な機構である。同時に、持ち上げ機構が容器ブランクを有意に複雑にすることはない。事実、持ち上げ機構は、依然としてブランクの全ての他の要素と一体化することができる。更に、本発明により持ち上げ要素が折り畳まれる方法により、持ち上げ要素も、依然として容器を片面が印刷されたブランクから作ることができるように、ブランクの同じ側が消費者に露出される。
【００２０】
好ましくは、容器は、シート材料の１つのブランクだけで形成される。
【００２１】
好ましくは、取り付けタブは、折り畳み線を通じて第１の壁から垂れ下がる。折り畳み線は、例えば、折り目線又は切り込み線によって容器のためのブランクに既に設けられている場合がある。第１及び第２の壁は、容器の箱又は蓋の上部、底部、側部、前面、又は背面壁とすることができ、第１及び第２の壁は、容器内のそれらの縁部の少なくとも１つに沿って互いに対して隣接する壁を意味する。
【００２２】
好ましくは、タブカバーパネルは、一般的に、それが第２の壁の内側部分を完全に覆うように第２の壁と同じサイズを有する。ある一定の実施形態では、タブカバーパネルは、１つよりも多い取り付けタブの上に、例えば、２つの取り付けタブの上に折り畳むことができる。更に、取り付けタブは、第２の壁及びタブカバーパネルの両方に取り付けることができる。これが容器の構造的強度を増加させる。
【００２３】
好ましくは、容器は、タブカバーパネルから垂れ下がる少なくとも１つの内側カバーパネルを更に含み、少なくとも１つの内側カバーパネルは、容器の壁の内側部分の上に重なる。代替的に又は追加的に、内側カバーパネルはまた、容器の内側側部、前面又は背面壁を覆っている別のカバーパネルから垂れ下がることができる。それによって第２の壁に隣接する容器の壁は、内側カバーパネルによって完全に又は部分的に覆われるようになる。従って、内側に向いたブランクの印刷されていない側部を含む容器の残りの内壁部分は、容器の内側に向いたブランクの印刷された側部を提供する少なくとも１つの内側カバーパネルによって覆うことができる。更に、消費者のための付加的な情報又は販売情報は、内側カバーパネル上に提供することができる。容器内のパネルの本発明のこの配置のために、内側カバーパネルの印刷された側部も、片面だけに印刷されたブランクと共に、容器の内側上に現れることになる。
【００２４】
一実施形態では、内側カバーパネルは、蓋の上部パネルの内側側部を覆う。容器の深さ及び幅に対して容器の高さが比較的低いようなむしろ平坦な形状を有する容器の場合には、これが特に有用である。従って、蓋の上部パネルは、印刷情報又は例えばミラー区画などを表示するのに適する大きい面積を含む。
【００２５】
好ましくは、タブカバーパネルは、第２の壁に隣接して配置され、かつ容器の内側に面し、取り付けタブは、タブカバーパネルと第２の壁パネルの間に設けられる。従って、タブカバーパネルが第２の壁と実質的に同じサイズを有する場合、タブカバーパネルの縁部は、第２の壁と隣接する容器の壁によって覆われる。
【００２６】
一実施形態では、容器の背面壁は、箱と蓋とを接続するヒンジ線を含むことができる。一実施形態では、蓋の壁と箱の壁は、容器が閉じている時に箱及び蓋の側壁と前壁とが互いに同一平面になるようにそれらの縁部において当接する。本発明の好ましい実施形態では、蓋の少なくとも前壁は、箱の前壁の上に少なくとも部分的に重なる。代替的に又は追加的に、蓋の側壁は、箱の各側壁の上に少なくとも部分的に重なる。
【００２７】
用語「ヒンジ線」は、容器を開くためにそれに関して蓋がピボット回転することができる線を意味する。ヒンジ線は、例えば、容器の背面壁内の折り目線又は切り込み線とすることができる。代替的に、ヒンジ線は、蓋の背面壁の下縁と箱の背面壁の上縁とを架橋する一片の材料内の折り目線又は切り込み線とすることができる。そのような一片の材料は、例えば、蓋の背面壁及び箱の背面壁に恒久的に又は取外し可能に取り付けられたラベルとすることができる。好ましくは、ヒンジ線は、背面壁の上縁の下のレベルで容器の背面壁に沿って位置決めされる。
【００２８】
好ましくは、上に重なる蓋前壁は、切断線及び折り畳み線によって形成されたクリックフラップを含む。クリックフラップは、箱前壁の閉鎖切り欠きと係合するように蓋前壁から突出する。代替的に、クリックフラップは、蓋前壁の閉鎖切り欠きと係合するように箱前壁から突出する。
【００２９】
好ましくは、閉鎖切り欠きは、閉鎖切り欠きが外側から見えないように容器の内側に面するタブカバーパネル上に設けられる。好ましくは、閉鎖切り欠きは、蓋前壁のカバーパネル上に設けられる。
【００３０】
好ましくは、クリックフラップは、ヒンジ式に箱の前壁の上縁から垂れ下がるか、又は蓋の前壁の底縁から垂れ下がる。好ましくは、クリックフラップは、容器の閉鎖位置状態でのクリックフラップの縁部と係合するように閉鎖切り欠きに向けて突出する。
【００３１】
この特徴部は、容器が閉鎖状態で固定されるという恩典を提供する。更に、クリックフラップは、容器が完全に閉じる時に閉鎖切り欠きに入るとクリック音を発生させる。クリック音は、容器の閉鎖を消費者に確信させる。
【００３２】
一実施形態では、蓋の前壁は、容器を開くための係合部分を提供するように係合切り欠きを有する。この特徴は、容器が閉じる時に蓋前壁が箱前壁の外側の上に少なくとも部分的に重なるような本発明によるそのような容器の場合に特に適している。有利な態様では、箱前壁は、蓋前壁での係合切り欠きを通じて消費者によって係合することができる。更に、係合切り欠きにより、消費者が箱の前壁に圧力を加えて前壁パネルを背面まで弾性変形させることが可能になる。これが閉鎖切り欠きからクリック部分を分離することを容易にする。それによって都合よく容器を簡単に開くことができるようになる。
【００３３】
好ましくは、容器の箱は、喫煙物品、特にシガレットのような細長い喫煙物品を含む。
【００３４】
更に、本発明は、箱側壁パネルと、箱前壁パネルと、箱側壁パネルから垂れ下がる少なくとも１つの取り付けタブとを含む容器のためのブランクを提供する。ブランクは、更に、箱前壁パネルから垂れ下がり、容器内の取り付けタブを覆うために折り畳まれるように構成されたタブカバーパネルを含む。
【００３５】
本発明によるブランクは、蓋のタブカバーパネルから垂れ下がる内側カバーパネルを含む。
【００３６】
好ましくは、内側カバーパネルは、蓋上部壁の内側を覆うために蓋前壁から垂れ下がる。代替的に、蓋上部壁の内側を覆う内側カバーパネルは、蓋の内側側壁を覆うカバーパネルから垂れ下がる。
【００３７】
容器内の壁に対応するブランクのパネルは、切り込み線又は折り目線に沿って互いから垂れ下がる。
【００３８】
好ましくは、タブカバーパネルは、箱前壁パネルと実質的に同じサイズである。それによってタブカバーパネルは、箱前壁パネルの１つの側部を完全に覆い、従って、ブランクの縁部が全くない平滑な面を得ることができるようになる。
【００３９】
一実施形態では、ブランクは、箱底部壁パネルを含み、箱左側壁パネル、箱右側壁パネル、及び箱前壁パネルの各々は、箱底部壁パネルから垂れ下がる。更に、ブランクは、蓋上部壁パネルを含み、蓋左側壁パネル、蓋右側壁パネル、及び蓋前壁パネルの各々は、蓋上部壁パネルから垂れ下がる。箱背面壁パネルは、ヒンジ線によって蓋上部壁パネルから垂れ下がり、かつ箱底部壁パネルから垂れ下がる。このブランクにより、カップ形状箱及びそれにヒンジ式に接続された蓋を備えた容器が実現可能になる。
【００４０】
タブカバーパネルは、箱左側壁パネル、箱右側壁パネル、箱前壁パネル、及び蓋前壁パネルから垂れ下がることができる。付加的なカバーパネルは、蓋左側壁パネル及び蓋右側壁パネルから垂れ下がることができる。付加的なカバーパネルにより、カバーパネルと対応する壁パネルの間に取り付けタブを配置する必要なく、対応する壁パネルの内側を覆うことが可能になる。例えば、蓋前壁パネルが取り付けタブを含む場合、タブカバーパネルは、上述の取り付けタブを覆うために蓋左側壁パネル及び蓋右側壁パネルから垂れ下がることができる。この実施形態では、蓋上部壁の内側を覆う内側カバーパネルは、蓋前面カバーパネル又は蓋側部タブカバーパネルのうちの一方から垂れ下がることができる。
【００４１】
好ましくは、蓋上部壁パネルの内側を覆う内側カバーパネルは、蓋前壁パネルのタブカバーパネルから垂れ下がる。これは、ブランクが、それからブランクを切断する時にブランクの製作工程がほとんど廃棄材料を要しないように、その幅に非常に高い変動を含まないことを可能にする。
【００４２】
好ましい実施形態では、箱背面壁パネル、箱側壁パネル、及び蓋側壁パネルの側部に取り付けタブが設けられる。
【００４３】
容器内の消費財は、容器が開いている時に箱の開口部で可視である内側ライナを用いて包むことができる。
【００４４】
本発明による容器は、直角縦方向縁部及び直角横断方向縁部を備えた直方体形状とすることができる。代替的に、容器は、１つ又はそれよりも多くの丸形縦方向縁部、丸形横断方向縁部、傾斜付き縦方向縁部、又は傾斜付き横断方向縁部、又はその組合せを含むことができる。例えば、本発明による容器は、以下に限定されるものではないが、以下のものを含むことができる。
−前壁上に１つ又は２つの縦方向丸形又は傾斜付き縁部、及び／又は
−背面壁上に１つ又は２つの縦方向丸形又は傾斜付き縁部、
−前壁上に１つ又は２つの横断方向丸形又は傾斜付き縁部、及び／又は
−背面壁上に１つ又は２つの横断方向丸形又は傾斜付き縁部、
−前壁上に１つの縦方向丸形縁部及び１つの縦方向傾斜付き縁部、及び／又は
−背面壁上に１つの横断方向丸形縁部及び１つの横断方向傾斜付き縁部、
−前壁上に１つ又は２つの横断方向丸形又は傾斜付き縁部、及び前壁上に１つ又は２つの縦方向丸形又は傾斜付き縁部、
−第１の側壁上に２つの縦方向丸形又は傾斜付き縁部、又は第２の側壁上に２つの横断方向丸形又は傾斜付き縁部。
【００４５】
容器が１つ又はそれよりも多くの丸形縁部を含み、かつ積層ブランクから作られる場合、好ましくは、ブランクは、容器内で丸形縁部を形成するために３つ、４つ、５つ、６つ、又は７つの切り込み線又は折り目線を含む。切り込み線又は折り目線は、容器の内側上又は容器の外側上のいずれかにあることができる。好ましくは、切り込み線又は折り目線は、約０．３ｍｍと４ｍｍの間だけ互いから離間しる。
【００４６】
好ましくは、折り目線又は切り込み線の間隔は、積層ブランクの厚みの関数である。好ましくは、折り目線又は切り込み線の間の間隔は、積層ブランクの厚みよりも約０．５と約４倍の間だけ大きい。
【００４７】
容器が１つ又はそれよりも多くの傾斜付き縁部を含む場合、好ましくは、傾斜付きの１つ又はそれよりも多くの縁部は、約１ｍｍと約１０ｍｍの間、好ましくは、約２ｍｍと約６ｍｍの間の幅を有する。代替的に、容器は、２つの別々の傾斜が容器の縁部上に形成されるように離間した３つの平行な折り目線又は切り込み線によって形成された２重傾斜を含むことができる。
【００４８】
矩形横断方向断面を備えた容器に対して代替的に、容器は、例えば、三角形、四角形、又は六角形のような多角形の断面、又は長円形、半長円形、円形、又は半円形の断面を有することができる。
【００４９】
容器が傾斜付き縁部を含み、かつ積層ブランクから作られる場合、傾斜は、積層ブランク内の２つの平行な折り目線又は切り込み線によって形成することができる。折り目線又は切り込み線は、第１の壁と第２の壁の間の縁部に対して対称に配置することができる。代替的に、折り目線又は切り込み線は、容器の第２の壁よりも容器の第１の壁内に傾斜が更に延びるように、第１の壁と第２の壁の間の縁部に対して非対称に配置することができる。
【００５０】
容器は、以下に限定されるものではないが、厚紙、板紙、プラスチック、金属、又はその組合せを含むいずれかの適する材料から形成することができる。好ましくは、厚紙は、平方メートル当たり約１００グラムと平方メートル当たり約３５０グラムの間の重さを有する。
【００５１】
本発明による容器は、様々な消費財のためのパッケージとして使用することができる。特に好ましい実施形態では、本発明による容器は、喫煙物品を包装するのに使用される。本発明による容器は、以下に限定されるものではないが、公知の着火端部シガレット、シガー又はシガリロ、可燃性燃料要素又は熱源及びエーロゾル発生基体を含む加熱式喫煙物品（例えば、ＵＳ−Ａ−４，７１４，０８２に開示された種類のシガレット）、及び電気喫煙システムと共に使用するための喫煙物品（例えば、ＵＳ−Ａ−５，６９２，５２５に開示された種類のシガレット）を含む喫煙物品を包装するのに有利に使用することができる。
【００５２】
その寸法の適切な選択により、本発明による容器は、異なる総数の喫煙物品、又は異なる配置の喫煙物品を保持するように設計することができる。例えば、その寸法の適切な選択により、本発明による容器は、１０と３０の間の総数の喫煙物品を保持するように設計することができる。好ましくは、喫煙物品は、それらが箱の前壁から背面壁まで延びるように容器内に配置することができる。
【００５３】
本発明による容器は、消費財の１つ、２つ、３つ、４つ、又は５つの別々の束を保持することができる。別々の束は、前壁に対して及び背面壁に対して実質的に平行に又は前壁に対して及び背面壁に対して実質的に垂直に配置することができる。
【００５４】
束内では、喫煙物品は、喫煙物品の総数、喫煙物品の寸法、又は容器の断面形状に応じて異なる丁合で配置することができる。例えば、喫煙物品は、束内に５、６、７、８、９、又は１０の単一列に配置することができる。代替的に、喫煙物品は、２列又はそれよりも多くの列に配置することができる。２列又はそれよりも多くの列は、同じ数の喫煙物品を収容することができる。例えば、喫煙物品は、５、６、７、８、９、又は１０の２列、又は５、６、７、８、９、又は１０の３列、又は４、５、６、又は７の４列に配置することができる。代替的に、２列又はそれよりも多くの列は、互いに対して異なる数の喫煙物品を収容する少なくとも２列を含むことができる。例えば、喫煙物品は、５の列と６の列（５−６）、６の列と７の列（６−７）、７の列と８の列（７−８）、５の中央列と６の外側２列（６−５−６）、５の中央列と７の外側２列（７−５−７）、６の中央列と５の外側２列（５−６−５）、６の中央列と７の外側２列（７−６−７）、７の中央列と６の外側２列（６−７−６）、９の中央列と８の外側２列（８−９−８）、又は６の中央列、５の外側１列、及び７の外側１列（５−６−７）に配置することができる。
【００５５】
本発明による容器は、同じ種類又は銘柄、又は異なる種類又は銘柄の喫煙物品を保持することができる。更に、フィルタなし喫煙物品及び様々なフィルタチップを供えた喫煙物品の両方、並びに異なる長さの喫煙物品（例えば、約４０ｍｍと約１８０ｍｍの間）、異なる直径の喫煙物品（例えば、約４ｍｍと約９ｍｍの間）を収容することができる。更に、喫煙物品は、風味の強度、吸引抵抗、及び全体的粒子物質送出量を異なるものにすることができる。容器が１つよりも多くの束を有する場合、同じ容器内の各束は、上に列挙したように同じか又は異なる種類の喫煙物品を保持することができる。
【００５６】
好ましくは、容器の寸法は、喫煙物品の長さ及び喫煙物品の丁合に適応される。典型的には、容器の外寸は、容器の内側に収容された喫煙物品の束の寸法よりも約０．５ｍｍから約５ｍｍの間だけ大きい。
【００５７】
好ましくは、本発明による容器は、容器の上部壁から底部壁まで測定された高さで約５ｍｍと約１８０ｍｍの間の高さ、より好ましくは、約１０ｍｍと約２０ｍｍの間の高さを有する。
【００５８】
好ましくは、本発明による容器は、容器の第１の側壁から第２の側壁まで測定された幅で約１２ｍｍと約１８０ｍｍの間の幅、より好ましくは、約７０ｍｍと約１２５ｍｍの間の幅を有する。
【００５９】
好ましくは、本発明による容器は、容器の前壁から背面壁まで測定された深さで約６ｍｍと約１８０ｍｍの間の深さ、より好ましくは、約８０ｍｍと約１００ｍｍの間の深さを有する（箱と蓋の間のヒンジを含む）。
【００６０】
好ましくは、容器の深さ対容器の高さの比は、約０．３対１と約１０対１の間、より好ましくは、約２対１と約８対１の間、最も好ましくは、約３対１と５対１の間である。
【００６１】
好ましくは、容器の幅対容器の高さの比は、約１対１と約１０対１の間、より好ましくは、約２対１と約８対１の間、最も好ましくは、約３対１と５対１の間である。
【００６２】
本発明による容器のためのブランクは、１つの側部又は両方の側部に製造業者又は銘柄ロゴ、商標、スローガン、及び他の消費者情報、及び印しを印刷、エンボス、デボス、又はその他の方法で装飾することができる。代替的に又は追加的に、本発明による容器のためのブランクは、ラッカー、金属化、ホログラム、発光性材料、又は容器の感触、匂い、又は外観を変えるいずれかの他の材料で少なくとも部分的に覆うことができる。
【００６３】
本発明による容器の箱の内側が喫煙物品の１つ又はそれよりも多くの束を収容する場合、喫煙物品は、好ましくは、例えば、金属箔、最も粉質の紙、又は透明紙で作られた内側ライナに包まれる。
【００６４】
容器が喫煙物品を含む場合、容器は、更に、廃棄物のための（例えば、灰又は吸い殻のための）、又は例えばマッチ、ライター、消火手段、気分転換剤、又は電子機器のような他の消費財のための仕切りを含むことができる。他の消費財は、容器の外側に取り付け、喫煙物品と共に容器内に収容し、容器の別々の仕切りに収容し、又はその組合せに収容することができる。
【００６５】
充填された状態で、本発明による容器は、例えば、低密度又は高密度ポリエチレン、ポリプロピレン、配向ポリプロピレン、塩化ポリビニリデン、セルロースフィルム、又はその組合せの透明ポリマーフィルムを用いて、従来の方式で収縮包装又はその他の方法で上包装することができる。本発明による容器が上包装される場合、上包装紙は、開封テープを含むことができる。添付図面は、本発明の原理を説明する目的のために本明細書の一部を形成するように組み込まれている。図面は、本発明を作りかつ使用することができる方法を示している。更に別の特徴及び利点は、添付図面に示すような本発明の以下のかつより具体的な説明から明らかになるであろう。
【００６６】
本発明は、更に、容器から少なくとも部分的に消費物品を持ち上げる方法に関し、本方法は、本発明による容器を準備する段階を含み、本方法は、更に、持ち上げパネル、持ち上げ背面壁パネル、持ち上げ底部パネル、及び背面折り畳みパネルを準備する段階を更に含み、持ち上げ背面壁パネルは、内側カバーパネルから垂れ下がり、持ち上げ底部パネルは、持ち上げ背面壁パネルから垂れ下がり、背面折り畳みパネルは、持ち上げ底部パネルから垂れ下がり、かつ持ち上げパネルに接続し、本方法は、持ち上げパネルが背面折り畳みパネルの少なくとも部分的な回転によって持ち上げられるように容器の蓋を持ち上げる段階を更に含む。背面折り畳みパネルのこの少なくとも部分的な回転は、回転及び平行移動の組合せとすることができる。
【図面の簡単な説明】
【００６７】
【図１】閉鎖位置における本発明による容器の斜視図である。
【図２】開放位置における本発明による容器の斜視図である。
【図３】本発明によるブランクの図である。
【図４】持ち上げ特徴部を備えた本発明による容器のためのブランクの図である。
【図５】閉じた容器の内側の持ち上げ特徴部の断面図である。
【図６】開いた容器の内側の持ち上げ特徴部の断面図である。
【発明を実施するための形態】
【００６８】
本発明の実施形態による容器１は、カップ形状箱２と蓋３を含む。箱２は、箱底部壁４、更に、箱底部壁４と垂直に配置された箱左側壁５、箱右側壁６、箱前壁７、及び箱背面壁８を含む。
【００６９】
蓋は、蓋上部壁９、更に、蓋上部壁９と垂直に配置された蓋左側壁１０、蓋右側壁１１、及び蓋前壁１２を含む。
【００７０】
蓋上部壁９は、箱背面壁８の上縁に沿って箱背面壁８に対してヒンジ式に接続される。
【００７１】
容器の壁は、隣接する側壁、前壁、及び背面壁を互いに対して接続する取り付けタブ１３、１４、１５、１６、１７、１８（図３参照）によって互いに対して接続される。
【００７２】
容器内では、取り付けタブ１３、１４、１５、１６、１７、１８が見えず、容器に高品質の外観を与える。
【００７３】
本発明によるブランクの実施形態が図３に示されている。
【００７４】
ブランクは、容器１の箱底部壁４を形成する箱底部壁パネル１９を含む。箱左側壁パネル２０、箱右側壁パネル２１、及び箱前壁パネル２２は、折り畳み線を通じて箱底部壁パネル１９から垂れ下がる。折り畳み線は、ブランクを全く修正せずに折り畳まれるように指定された線、又は折り畳み線に沿ってブランクの折り畳みを容易にするブランクの厚みを薄くした線、例えば、折り目又は切り込み線のいずれかとすることができる。
【００７５】
更に、ブランクは、蓋左側壁パネル２４、蓋右側壁パネル２５、及び蓋前壁パネル２７がそれから垂れ下がる蓋上部壁パネル２３を含む。箱背面壁パネル２６は、箱底部壁パネル１９及び蓋上部壁パネル２３から垂れ下がる。
【００７６】
取り付けタブ１３、１４、１５、１６、１７、１８の覆いを可能にするために、折り畳み線を通じて箱左側壁パネル２０、箱右側壁パネル２１、及び蓋前壁パネル２７から垂れ下がるタブカバーパネル２８、２９、３０、３３が設けられる。
【００７７】
更に、蓋左側壁パネル２４及び蓋右側壁パネル２５の内側側部を覆うために、蓋左側壁パネル２４及び蓋右側壁パネル２５上の折り畳み線を通じて垂れ下がるカバーパネル３１、３２が設けられる。
【００７８】
更に別の内側カバーパネル３４は、蓋前壁パネル２７のタブカバーパネル３３から垂れ下がる。
【００７９】
容器１では、箱左側壁パネル２０及び対応するタブカバーパネル２８が、箱左側壁５を形成する。箱右側壁パネル２１及び対応するタブカバーパネル２９が、箱右側壁６を形成する。箱前壁パネル２２及び対応するタブカバーパネル３０が、箱前壁７を形成する。
【００８０】
蓋左側壁パネル２４及び対応するタブカバーパネル３１が、蓋左側壁１０を形成する。蓋右側壁パネル２５及び対応するタブカバーパネル３２が、蓋右側壁１１を形成する。蓋前壁パネル２７及び対応するタブカバーパネル３３が、蓋前壁１２を形成する。
【００８１】
蓋上部壁パネル２３及び内側カバーパネル３４が、蓋３の上部壁９を形成する。
【００８２】
蓋３が閉じた容器１では、図１に示すように、蓋左側壁１０、蓋右側壁１１、及び蓋前壁１２が、それぞれ、箱左側壁５、箱右側壁６、及び箱前壁７に隣接してかつ平行に容器１の外側上に配置される。
【００８３】
更に、ブランクは、容器１を閉鎖位置に保ちながら、一方で容器を便利な方式で開くのを可能にする閉鎖手段を含む。箱前壁パネル２２から垂れ下がるタブカバーパネル３０内に切り欠き３６を設けることにより、箱前壁パネル２２にクリックフラップ３５がもたらされる。クリックフラップ３５は、折り畳み線３７によって箱前壁パネル２２から垂れ下がるブランク部分である。切り欠き３６は、ある一定の幅を有し、クリックフラップ３５がタブカバーパネル３０と係合しないように、クリックフラップ３５と残っているタブカバーパネル３０の間に隙間を作り出す。
【００８４】
閉鎖切り欠き３８は、上部前壁パネル２７までのある一定の距離で上部前壁パネル２７から垂れ下がるタブカバーパネル３３内に設けられる。
【００８５】
容器１では、クリックフラップ３５は、閉鎖切り欠き３８の縁部と係合することができ、従って、容器１を閉じた状態に維持する。容器の閉鎖中に閉鎖切り欠き３８内に設定する時に、クリックフラップ３５は、最初にタブカバーパネル３３と接触して可聴のクリック音をもたらすことになる。
【００８６】
蓋前壁パネル２７及びタブカバーパネル３３内には、容器１を開くために容器１内に係合部分を設けるように、これらのパネル間の折り畳み線に対して対称の方式で係合切り欠き３９が設けられる。
【００８７】
箱背面壁パネル２６は、ヒンジ線４０を通じて蓋上部壁パネル２３から垂れ下がり、箱２に対して蓋３を開くためのヒンジを提供する。
【００８８】
本発明の一実施形態では、図１及び２による容器を製作するために図３によるブランクが使用される。
【００８９】
第１の段階で、シート材料からブランクの輪郭が切断される。シート材料は、被覆された厚紙とすることができるが、プラスチック材料を使用することもできる。シート材料は、好ましくは、少なくとも１つの側部上に被覆及び印刷される。
【００９０】
次に、取り付けタブ１３及び１４が箱前壁パネル２２内に取り付けられる。取り付けタブ１５及び１６の各々は、箱左側壁パネル２０及び箱右側壁パネル２１に取り付けられる。取り付けは、特に接着によって行われるが、しかし当業技術で公知のいずれかの他の接続技術を適用することができる。タブカバーパネル２８、２９、及び３０は、取り付けタブ１３、１４、１５、及び１６の各々が、箱壁パネル２０、２１、及び２２とタブカバーパネル２８、２９、及び３０の間に設けられるように、各箱壁パネル２０、２１、及び２２の内側上に折り畳まれる。
【００９１】
次に、取り付けタブ１７及び１８が、蓋前壁パネル２７の内側に取り付けられる。タブカバーパネル３３は、取り付けタブ１７、１８及び蓋前壁パネル２７の内側に取り付けられる。この位置では、内側カバーパネル３４は、蓋上部壁パネル２３を覆うように蓋上部壁パネル２３の内側に隣接する。最後に、カバーパネル３１、３２は、蓋左側壁パネル２４及び蓋右側壁パネル２５の内側を覆うように蓋左側壁パネル２４及び蓋右側壁パネル２５に取り付けられる。
【００９２】
クリックフラップ３５は、蓋３の切り欠き３８の縁部がクリックフラップ３５と係合するように容器１の箱前壁７の外側に折り畳まれる（図２から理解することができるように）。
【００９３】
従って、片側だけに印刷されたブランクを用いて、タブカバーパネル、カバーパネル、又は内側カバーパネルの印刷された側部によって容器の内壁の大部分が覆われるような容器１を提供することができる。更に、容器１の高品質の外観が得られるように、全ての取り付けタブ１３、１４、１５、１６、１７、１８が覆われる。
【００９４】
他の実施形態では、取り付けタブは、隣接する壁パネルの外側にも取り付けることができることに注意すべきである。この場合、タブカバーパネルは、取り付けタブが覆われるように同じく壁パネルの外側上に折り畳まれる。
【００９５】
更に、同じく内側カバーパネルによって箱底部壁が覆われるように、箱のための内側カバーパネルを設けることができる。
【００９６】
内側カバーパネルは、いずれのタブカバーパネル又はカバーパネルにおいても設けることができる。
【００９７】
容器は、更に、容器が開かれた時に喫煙物品を持ち上げる持ち上げデバイスを含むことができる。例えば、持ち上げデバイスは、内側カバーパネル３４の背面縁部から垂れ下がって箱背面壁８の内側及び箱底部壁４の内側を覆う２つのカバーパネル（図示せず）によって形成することができる。代替的に、喫煙物品の内側ライナのある一定の区画は、蓋が９０度よりも大きく開かれた状態で喫煙物品を背面壁に沿って上方に持ち上げるために蓋上部壁の内側に取り付けることができる。
【００９８】
図４は、付加的な持ち上げ特徴部を備えた本発明の更に別の実施形態のブランクを示している。持ち上げ特徴部は、持ち上げパネル４６、持ち上げ背面壁パネル４２、持ち上げ底部パネル４４、及び背面折り畳みパネル４５を含み、持ち上げ背面壁パネル４２が、内側カバーパネル３４から垂れ下がり、持ち上げ底部パネル４４が、持ち上げ背面壁パネル４２から垂れ下がり、背面折り畳みパネル４５が、持ち上げ底部壁パネル４４から垂れ下がり、かつ持ち上げパネル４６に接続している。持ち上げパネルの端部には、好ましくは、箱底部パネル１９の内側に接着された持ち上げフラップ４８がある。組み立てられた容器１では、内側カバーパネル３４は、蓋上部壁９の内側に当たって位置している。持ち上げ背面壁パネル４２は、箱背面壁８に対して箱２内に下方に約９０度折り畳まれる。持ち上げ背面パネル４４は、箱底部壁４に当たって位置するように約９０度だけ折り畳まれる。背面折り畳みパネル４５は、それが持ち上げ底部壁４４と持ち上げパネル４６の間にｚ形折り畳みを作り出すように、箱背面壁８に向けて背面に約１８０度だけ折り畳まれる。容器１の閉鎖位置でのパネルの配置は、図５に示している。
【００９９】
内側カバーパネル３４は、蓋上部壁９よりも約５パーセントから約１５パーセント短い。これは、容器１が矢印５０によって示した方向にヒンジ線４０に関してピボット回転する時に、内側カバーパネル３４と蓋上部壁９の間の欠けている長さに適合するために持ち上げ背面壁パネル４２が矢印５２に向けて上方に引っ張られるという効果を有する。これは、持ち上げ底部パネル４４を引っ張る。持ち上げ底部パネル４４は、背面折り畳みパネル４５が回転するように背面折り畳みパネル４５を引っ張る。背面折り畳みパネル４５の回転により、持ち上げパネル４６の上方にある消費財が少なくとも部分的に矢印５４によって示した方向に持ち上げられるように、箱底部壁４と持ち上げパネル４６の間の距離が長くなる。容器１が閉じると、パネルは、それらの最初の位置に戻る。
【符号の説明】
【０１００】
２  カップ形状箱
３  蓋
５、６  箱側壁
７  箱前壁
【図１】
2013513533.tif 000003
【図２】
2013513533.tif 000004
【図３】
2013513533.tif 000005
【図４】
2013513533.tif 000006
【図５】
2013513533.tif 000007
【図６】
2013513533.tif 000008
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
容器（１）であって、
カップ形状箱（２）と、
前記カップ形状箱（２）に接続された蓋（３）と、
を含み、
箱側壁（５、６）と隣接する箱前壁（７）とを更に含み、取り付けタブ（１３、１４）が、容器（１）の前記箱側壁（５、６）から垂れ下がり、該取り付けタブ（１３、１４）は、容器（１）の該箱側壁（５、６）に取り付けられ、
前記箱側壁（７）から垂れ下がるタブカバーパネル（３０）を更に含み、該タブカバーパネル（３０）は、前記箱（２）の前記取り付けタブ（１３、１４）の上に少なくとも部分的に重なり、
容器（１）が、タブカバーパネル（３３）から垂れ下がる内側カバーパネル（３４）を更に含み、
前記内側カバーパネル（３４）は、容器（１）の壁の内側部分を覆い、該内側カバーパネル（３４）は、前記蓋（３）の上部壁（２３）の内側を少なくとも部分的に覆い、
容器が、容器（１）が開かれる時に容器内の消費財を少なくとも部分的に持ち上げることができる持ち上げパネル（４６）を更に含む、
ことを特徴とする容器（１）。
【請求項２】
持ち上げ背面壁パネル（４２）、持ち上げ底部パネル（４４）、及び背面折り畳みパネル（４５）を更に含み、
前記持ち上げ背面壁パネル（４２）は、前記内側カバーパネル（３４）から垂れ下がり、前記持ち上げ底部パネル（４４）は、該持ち上げ背面壁パネル（４２）から垂れ下がり、前記背面折り畳みパネル（４５）は、該持ち上げ底部パネル（４４）から垂れ下がり、かつ前記持ち上げパネル（４６）に接続する、
ことを特徴とする請求項１に記載の容器。
【請求項３】
前記タブカバーパネル（３０）は、前記箱前壁（７）に隣接して配置され、かつ容器（１）の内側に面し、前記取り付けタブ（１３、１４）は、該タブカバーパネル（３０）によって完全に覆われることを特徴とする請求項１から請求項２のいずれか１項に記載の容器。
【請求項４】
容器（１）の背面壁（８）が、前記箱（２）と前記蓋（３）とを接続するヒンジ線（４０）を含み、該箱（２）又は該蓋（３）の前壁（７、１２）が、切り欠き（３６）及び折り畳み線（３７）によって形成されたクリックフラップ（３５）を含み、
前記クリックフラップ（３５）は、前記前壁（７、１２）から蓋（３）又は箱（２）の他方の前壁（７、１２）の閉鎖切り欠き（３８）と係合するように突出する、
ことを特徴とする請求項１から請求項３のいずれか１項に記載の容器。
【請求項５】
容器（１）が、喫煙物品を含むことを特徴とする請求項１から請求項４のいずれか１項に記載の容器。
【請求項６】
容器（１）のためのブランクであって、
箱側壁パネル（２０、２１）と、
箱前壁パネル（２２）と、
前記箱側壁パネル（２０、２１）から垂れ下がる取り付けタブ（１３、１４）と、
を含み、
前記箱前壁パネル（２０、２１）から垂れ下がり、容器内の前記取り付けタブ（１３、１４）を覆うように折り畳まれるようになったタブカバーパネル（３０）、
を更に含み、
ブランクが、タブカバーパネル（３３）から垂れ下がる内側カバーパネル（３４）を更に含む、
ことを特徴とするブランク。
【請求項７】
持ち上げパネル（４６）、持ち上げ背面壁パネル（４２）、持ち上げ底部パネル（４４）、及び背面折り畳みパネル（４５）を更に含み、
前記持ち上げ背面壁パネル（４２）は、前記内側カバーパネル（３４）から垂れ下がり、前記持ち上げ底部パネル（４４）は、該持ち上げ背面壁パネル（４２）から垂れ下がり、前記背面折り畳みパネル（４５）は、該持ち上げ底部パネル（４４）から垂れ下がり、かつ前記持ち上げパネル（４６）に接続する、
ことを特徴とする請求項６に記載のブランク。
【請求項８】
前記タブカバーパネル（３０）は、前記箱前壁パネル（２２）と実質的に同じ形状であることを特徴とする請求項６又は請求項７に記載のブランク。
【請求項９】
箱底部壁パネル（１９）と、
各々が前記箱底部壁パネル（１９）から垂れ下がる箱左側壁パネル（２０）、箱右側壁パネル（２１）、及び前記箱前壁パネル（２２）と、
蓋上部壁パネル（２３）と、
各々が前記蓋上部壁パネル（２３）から垂れ下がる蓋左側壁パネル（２４）、蓋右側壁パネル（２５）、及び蓋前壁パネル（２７）と、
ヒンジ線（４０）によって前記蓋上部壁パネル（２３）から垂れ下がり、かつ前記箱底部壁パネル（１９）から垂れ下がる箱背面壁パネル（２６）と、
を含むことを特徴とする請求項６から請求項８のいずれか１項に記載のブランク。
【請求項１０】
容器から少なくとも部分的に消費物品を持ち上げる方法であって、
請求項１に記載の容器を準備する段階、
を含み、
持ち上げパネル（４６）、持ち上げ背面壁パネル（４２）、持ち上げ底部パネル（４４）、及び背面折り畳みパネル（４５）を準備する段階であって、該持ち上げ背面壁パネル（４２）が、内側カバーパネル（３４）から垂れ下がり、該持ち上げ底部パネル（４４）が、該持ち上げ背面壁パネル（４２）から垂れ下がり、該背面折り畳みパネル（４５）が、該持ち上げ底部パネル（４４）から垂れ下がり、かつ該持ち上げパネル（４６）に接続する前記準備する段階、
を更に含み、
前記持ち上げパネル（４６）が前記背面折り畳みパネル（４５）の少なくとも部分的な回転によって持ち上げられるように容器（１）の蓋（３）を持ち上げる段階、
を更に含むことを特徴とする方法。
【国際調査報告】
2013513533.tif 000009
2013513533.tif 000010
2013513533.tif 000011